(57)【特許請求の範囲】
【請求項１】
開閉用バール穴および複数のこじり穴を外周に形成した円板状のマンホール用蓋体と、 上方に付勢され、通常時には、ロック用金具が前記開閉用バール穴に嵌合して前記マンホール用蓋体の浮き上がりを防止するロック機能とを有する分割型マンホールの、前記マンホール用蓋体を道路舗装時に覆うための分割型マンホール用蓋カバーであって、
前記開閉用バール穴および前記こじり穴に対応する外周位置に嵌合穴を設け、円板状で耐熱材製のカバー本体と、
柱状の押圧部、該押圧部の下部に設けられ前記マンホール用蓋体の内壁に係止可能な形状の係止部、および前記押圧部の上部に設けられ前記嵌合穴より径大な径大鍔部を備えた嵌合体とからなり、
道路舗装時に、
前記マンホール用蓋体を前記カバー本体で覆い、
前記カバー本体の前記嵌合穴から前記嵌合体を挿入し、前記係止部で前記ロック用金具を押圧して前記ロック機能を解錠し、前記マンホール用蓋体の内壁に前記係止部が係止される位置まで前記嵌合体を回して解錠維持することを特徴とする分割型マンホール用蓋カバー。
【請求項２】
請求項１に記載の分割型マンホール用蓋カバーにおいて、
前記こじり穴に嵌め込み可能な突起部を前記カバー本体の下面に設けたことを特徴とする分割型マンホール用蓋カバー。
【請求項３】
請求項１又は請求項２に記載の分割型マンホール用蓋カバーにおいて、
前記嵌合体の前記係止部は、前記マンホール用蓋体の下面に係止可能な様に、前記開閉用バール穴の中心線方向の長さ（Ｈ）よりも小さく、横方向の幅（Ｗ）よりも大きい寸法に形成されていることを特徴とする分割型マンホール用蓋カバー。
【請求項４】
請求項１乃至請求項３の何れか１項に記載の分割型マンホール用蓋カバーにおいて、
前記カバー本体の前記嵌合穴は、切欠き状に形成され、
前記嵌合体は、略Ｉ字形状に形成され、把手を孔に嵌合させて押圧しながら回転させるための方形又は六角形の孔を鍔部上面に設けたことを特徴とする分割型マンホール用蓋カバー。
【請求項５】
請求項４に記載の分割型マンホール用蓋カバーにおいて、
前記嵌合体の前記係止部の軸心の先端面に、摩擦抵抗を小さくするための突起を設けたことを特徴とする分割型マンホール用蓋カバー。
【請求項６】
請求項１又は請求項２に記載の分割型マンホール用蓋カバーにおいて、
前記カバー本体の前記嵌合穴は、外周側に溝のない略長円形状であり、
前記嵌合穴に嵌め込まれる前記嵌合体は、逆Ｊ字形状であることを特徴とする分割型マンホール用蓋カバー。
【請求項７】
請求項１又は請求項２に記載の分割型マンホール用蓋カバーにおいて、
前記カバー本体の下面には、マグネットシートが貼着されていることを特徴とする分割型マンホール用蓋カバー。
【発明の詳細な説明】
【０００１】
【発明の属する技術分野】
この発明は、例えば道路の舗装工事の作業中におけるマンホール用蓋体へのアスファルト混合物等の付着を防止することができる分割型マンホール用蓋カバーに関する。
【０００２】
【従来の技術】
従来より、下水管や、電力・通信用共同溝等における管内の点検や清掃、下水管の連結や接合等のために人が出入りするマンホールが道路に設けられている。そして、マンホールのある道路を舗装する場合には、アスファルト混合物やコンクリートがマンホールの鋳鉄蓋の表面の模様に付着するため、相当の時間をかけてマンホールの鋳鉄蓋からアスファルト混合物やコンクリートを取り除いていた。
そこで、マンホール用蓋へのアスファルト混合物やコンクリートの付着を防止するために、マンホール用蓋体に形成された穴、切欠き等の嵌込部に嵌め込まれる突起部を備えたマンホール用蓋カバーが特開平８−１１３９５７号公報にて提案されている。
【０００３】
【発明が解決しようとする課題】
ところが、近年のマンホール用蓋体は、雨水流入防止や内圧による蓋の浮上防止及び不法投棄防止のため、開閉用バール穴にはロック機能が取り付けられている。このため、従来のマンホール用蓋カバーに備えられた突起部をバール穴に押し込んでも、ロック用金具によって押し戻され、旨くロック機能を解錠することができず、マンホール用蓋体にマンホール用蓋カバーを取り付けることができなかった。
【０００４】
この発明は、ロック機能が備えられたマンホール用蓋体に簡単に取り付けることができる分割型マンホール用蓋カバーの提供を目的とする。
【０００５】
【課題を解決するための手段】
（請求項１の手段）
分割型マンホール用蓋カバーは、開閉用バール穴および複数のこじり穴を外周に形成した円板状のマンホール用蓋体と、上方に付勢され、通常時には、ロック用金具が開閉用バール穴に嵌合してマンホール用蓋体の浮き上がりを防止するロック機能とを有する分割型マンホールの、マンホール用蓋体を道路舗装時に覆うためのものである。
この分割型マンホール用蓋カバーは、開閉用バール穴およびこじり穴に対応する外周位置に嵌合穴を設け、円板状で耐熱材製のカバー本体と、柱状の押圧部、該押圧部の下部に設けられマンホール用蓋体の内壁に係止可能な形状の係止部、および押圧部の上部に設けられ嵌合穴より径大な径大鍔部を備えた嵌合体とからなる。
そして、道路舗装時に、マンホール用蓋体をカバー本体で覆い、カバー本体の嵌合穴から嵌合体を挿入し、係止部でロック用金具を押圧してロック機能を解錠し、マンホール用蓋体の内壁に係止部が係止される位置まで嵌合体を回して解錠維持する。
【０００６】
（請求項２の手段）
請求項１に記載の分割型マンホール用蓋カバーにおいて、こじり穴に嵌め込み可能な突起部をカバー本体下面に設けたことを特徴とする。
【０００７】
（請求項３の手段）
請求項１又は請求項２に記載の分割型マンホール用蓋カバーにおいて、嵌合体の係止部は、マンホール用蓋体の下面に係止可能な様に、開閉用バール穴の中心線方向の長さ（Ｈ）よりも小さく、横方向の幅（Ｗ）よりも大きい寸法に形成されていることを特徴とする。
【０００８】
（請求項４の手段）
請求項１乃至請求項３の何れか１項に記載の分割型マンホール用蓋カバーにおいて、カバー本体の嵌合穴は、切欠き状に形成され、嵌合体は、略Ｉ字形状に形成され、把手を孔に嵌合させて押圧しながら回転させるための方形又は六角形の孔を鍔部上面に設けたことを特徴とする。
【０００９】
（請求項５の手段）
請求項４に記載の分割型マンホール用蓋カバーにおいて、嵌合体の係止部の軸心の先端面に、摩擦抵抗を小さくするための突起を設けたことを特徴とする。
【００１０】
（請求項６の手段）
請求項１又は請求項２に記載の分割型マンホール用蓋カバーにおいて、カバー本体の嵌合穴は、外周側に溝のない略長円形状であり、嵌合穴に嵌め込まれる嵌合体は、逆Ｊ字形状であることを特徴とする。
【００１１】
（請求項７の手段）
請求項１又は請求項２に記載の分割型マンホール用蓋カバーにおいて、カバー本体の下面には、マグネットシートが貼着されていることを特徴とする。
【００１２】
【作用及び効果】
（請求項１について）
道路舗装時に、マンホール用蓋体をカバー本体で覆い、カバー本体の嵌合穴から嵌合体を挿入し、係止部でロック用金具を押圧してロック機能を解錠し、マンホール用蓋体の内壁に係止部が係止される位置まで嵌合体を回して解錠維持する。
これにより、マンホール用蓋体にカバー本体を確実に取り付けることができる。また、嵌合体とカバー本体とが分割しているので、カバー本体の製作が容易である。
（請求項２について）
こじり穴に嵌め込み可能な突起部をカバー本体下面に設けたことにより、カバー本体のずれ落ちをより確実に防ぐことができる。これにより、道路の舗装工事中にアスファルト混合物やコンクリートがマンホール用蓋体に付着することを防止できる。
【００１３】
（請求項３について）
嵌合体の係止部は、マンホール用蓋体の下面（裏面）に係止可能な様に、開閉用バール穴の中心線方向の長さ（Ｈ）よりも小さく、横方向の幅（Ｗ）よりも大きい寸法に形成されているため、開閉用バール穴の下面に係止することができ、確実に解錠できるため、上記請求項１及び請求項２の効果を達成することができる。
【００１４】
（請求項４について）
嵌合体は、略Ｉ字形状に形成され、把手を孔に嵌合させて押圧しながら回転させるための方形又は六角形の孔を鍔部上面に設けているため、嵌合体の回転が容易であり、カバー本体をマンホール用蓋体に確実に取り付けることができる。
（請求項５について）
嵌合体の係止部の軸心の先端面に突起を設けたため、摩擦抵抗が小さくなり、嵌合体の回転が容易となる。
【００１５】
（請求項６について）
カバー本体の嵌合穴は、外周側に溝のない略長円形状であり、嵌合穴に嵌め込まれる嵌合体は、逆Ｊ字形状であるため、嵌合穴及び開閉用バール穴に嵌合体を挿入した後、嵌合体を中心方向（内方向）に引っ張ることにより、係止部がマンホール用蓋体の下面（裏面）に係止し、カバー本体を容易に取り付けることができる。
【００１６】
（請求項７について）
カバー本体の下面にマグネットシートを貼着しているので、カバー本体をマンホール用蓋体に強固に付着することができ、カバー本体の捲くれ上がりを防ぐことができる。特に、カバー本体に突起部がない請求項１のカバー本体に有用である。
【００１７】
【発明の実施の形態】
この発明のマンホール用蓋カバーをマンホール用鋳鉄蓋の汚れ防止カバーに適用した実施例に基づいて説明する。
【００１８】
〔第１実施例の構成〕
図１〜図５は、この発明の第１実施例を示したもので、図１は分割型マンホール用蓋カバーをマンホール用蓋に取り付けた図である。
【００１９】
マンホール用蓋カバー１は、道路Ｒの舗装工事の作業中に、下水道のマンホールの鋳鉄製のフレーム内に保持された鋳鉄蓋３の表面全体を覆うマンホール用鋳鉄蓋の汚れ防止カバーである。フレーム２は、上面に鋳鉄蓋３と嵌合する嵌合孔４と係合部５を備えている。６は鋳鉄蓋３とフレーム２を結合する蝶番部である。８は鋳鉄蓋３を開閉する切欠き状の開閉用バール穴７内に保持されたロック用金具である。ロック用金具８は図示を省略する重り又はスプリングの錠によるロック機能９と連結され、マンホール内の内圧が上昇したときロック機能９のフック部がフレーム２の係合部５に係合し、必要以上の鋳鉄蓋３の浮上防止を図っている。
【００２０】
鋳鉄蓋３は、図２及び図３に示すように、本発明のマンホール用蓋体であって、略円板形状に形成され、表面に種々の滑り止めパターンの模様が形成されている。また、マンホール用蓋体３の裏面には、剛性を保つためのリブ１０が形成されている。さらに、マンホール用蓋体３の外周には、複数個の切欠き状のこじり穴１１と開閉用バール穴７が形成されている。そして、この開閉用バール穴７にはロック機能９のロック用金具８が吊設されており、このバール穴７のロック機能９を解錠するようにマンホール用蓋カバー１がマンホール用蓋体３に取り付けられる。
【００２１】
マンホール用蓋カバー１は、図４及び図５に示したように、耐熱性、耐摩耗性のゴムや樹脂等により形成されたカバー本体２０、このカバー本体２０のバール穴７の位置にバール穴７の幅と略同じ大きさの切欠き状の嵌合穴２１が設けられている。そして、バール穴７及び嵌合穴２１に嵌合する嵌合体３０が形成されている。
【００２２】
嵌合体３０は、耐熱性の樹脂又は金属から形成され、嵌合穴２１に嵌め込まれると共にバール穴７内に挿入されてロック機能９のロック用金具８を押圧してロック機能９が解錠される棒状の押圧部３１と、押圧部３１の先端にロック機能９の解錠を維持する係止部３２と、押圧部３１の上部にカバー本体２０の上面に取り付けられる拡大の鍔部３３（円形、長方形又は傘形を含む形状）を備えた略Ｉ字形状に形成されている。この別体の嵌合体３０がカバー本体２０と嵌合穴２１に嵌め込まれる。
【００２３】
また、嵌合体３０の鍔部３３の上面に嵌合体３０を押圧しながら回転する把手が嵌合する方形又は六角形の孔３４が設けられている。
なお、把手の孔３４は一個でもよいが、二個並設したものが回転を容易にするために好ましく、この場合には丸の孔でもよい。
【００２４】
さらに、マンホール用蓋体３には、こじり穴１１に嵌め込まれる突起部２３が必要に応じて設けられ、カバー本体２０のマンホール用蓋体３への付着力を向上することができる。
【００２５】
〔第２実施例〕
図６及び図７は、この発明の第２実施例を示し、カバー本体２０に取り付けられる嵌合体３０の係止部３２の軸心の先端面にロック用金具８との押圧、回転時の摩擦抵抗を小さくする突起３５が設けられている。
【００２６】
なお、嵌合体３０の係止部３２の長さ（Ａ）は、図８に示すように、マンホール用蓋体３の下面（裏面）に係止するようにバール穴７の中心線方向の長さ（Ｈ）より小さく、横方向の幅（Ｗ）よりも大きい寸法に形成されている。また、係止部３２は中心線方向に対して９０°の方向に形成されているが、下面に係止する部分が幾らかでもあればよく、このため、中心線に対して約４５°〜９０°の範囲であればよい。
【００２７】
〔カバーの取り付け方法〕
次に、この発明のマンホール用蓋カバー１をマンホール用蓋体３に取り付ける方法について図８〜図１０に基づいて説明する。図８に示すように、マンホール用蓋体３のバール穴７内にカバー本体２０の嵌合穴２１を合わせる。次にマンホール用蓋体３のバール穴７内の中心線方向に嵌合体３０の係止部３２が嵌合するように９０°方向に位置して挿入し、図９のように上方より押圧する。そして、嵌合体３０の鍔部３３の孔３４に把手（植込みレンチ）を嵌合し、時計方向に嵌合体３０を９０°回転させる。これにより、嵌合体３０の係止部３２がマンホール用蓋体３の下面に係止し、カバー本体２０をマンホール用蓋体３の上に取り付けることができる。
【００２８】
また、カバー本体２０に突起部２３を設けたものは、突起部２３をマンホール用蓋体３のこじり穴１１に嵌合させる。これにより一層カバー本体２０を強固に取り付けることができる。
【００２９】
さらに、舗装作業が完了してマンホール用蓋カバー１を取り外す場合は、上記取り付け方法の手順を逆に行えばよい。
【００３０】
〔第３実施例〕
図１１〜図１３はこの発明の第３実施例を示した嵌合体４０である。この嵌合体４０は、第１実施例と同じく耐熱性の樹脂又は金属からなり、逆Ｊ字形状を有し、押圧部４１と先端に略Ｌ字形状の係止部４２及び鍔部４３が設けられている。そして、図１２に示すように、マンホール用蓋体３のバール孔７に嵌合体４０の係止部４２を挿入してロック用金具８を押圧すると共に、嵌合体４０を中心方向（内方向）に移動することによって、図１３に示すように、マンホール用蓋体３の下面に係止部４２が係止される。このため、嵌合体４０の回転が必要ないので、カバー本体２０の取り付けが容易となる。また、カバー本体２０をマンホール蓋体３に強固に付着させるために必要に応じてこじり穴１１に嵌合する突起部２３を設けてもよい。
【００３１】
〔第４実施例〕
図１４はこの発明の第４実施例を示したカバー本体５０である。このカバー本体５０には嵌合体３０又は嵌合体４０を備え、カバー本体５０のこじり穴１１の近傍の下面（裏面）にマグネットシート５７、５７を貼り付けたものである。これにより、カバー本体５０がマンホール用蓋体３に強固に付着することができ、カバー本体５０の捲くれ上がりを防ぐことができる。特にこじり穴１１に嵌合する突起部２３の代わりに設けることが有用である。
【図面の簡単な説明】
【図１】この発明の第１実施例を示した断面図である。
【図２】マンホール用蓋体の平面図である。
【図３】マンホール用蓋体のバール穴におけるロック機能を示した要部断面図である。
【図４】この発明のマンホール用蓋カバーを示した平面図である。
【図５】この発明のマンホール用蓋カバーに嵌合体を嵌合した状態の断面図である。
【図６】この発明の第２実施例の嵌合体を示した図４のａ−ａ切断の断面図である。
【図７】この発明の第２実施例の嵌合体を示した図４のｂ−ｂ切断の断面図である。
【図８】この発明のカバー本体の取り付け状態を示した要部断面図である。
【図９】この発明のカバー本体の嵌合体を押圧したときの図８のｃ−ｃ切断の要部断面図である。
【図１０】この発明の嵌合体を回転して係止部を係止したときの要部断面図である。
【図１１】この発明の第３実施例を示した要部断面図である。
【図１２】この発明の第３実施例の嵌合体を押圧したときの要部断面図である。
【図１３】この発明の第３実施例の嵌合体を係止したときの要部断面図である。
【図１４】この発明の第４実施例を示したカバー本体の裏面図である。
【符号の説明】
１  マンホール用蓋カバー
３  マンホール用蓋体（鋳鉄蓋）
７  開閉用バール穴
８  ロック用金具
９  ロック機能
１１  こじり穴
２０、５０  カバー本体
２１  嵌合穴
２３  突起部
３０、４０  嵌合体
３１、４１  押圧部
３２、４２  係止部
３３、４３  鍔部
３４  孔
３５  突起
５７  マグネットシート
【図１】
0004527297.tif 000002
【図２】
0004527297.tif 000003
【図３】
0004527297.tif 000004
【図４】
0004527297.tif 000005
【図５】
0004527297.tif 000006
【図６】
0004527297.tif 000007
【図７】
0004527297.tif 000008
【図８】
0004527297.tif 000009
【図９】
0004527297.tif 000010
【図１０】
0004527297.tif 000011
【図１１】
0004527297.tif 000012
【図１２】
0004527297.tif 000013
【図１３】
0004527297.tif 000014
【図１４】
0004527297.tif 000015